(57)【特許請求の範囲】
【請求項１】
ネットワーク機器が非権限周波数帯での無線フレーム内の伝送待ちデータの開始位置を確定することと、
ネットワーク機器が前記開始位置に基づいて位置指示情報を確定することと、
ネットワーク機器が無線フレーム内において前記非権限周波数帯での伝送待ちデータの開始位置を端末が前記位置指示情報に基づいて確定するよう、前記位置指示情報を端末に送信することを含み、
前記位置指示情報が動的な制御シグナルにより送信され、前記動的な制御シグナルが伝送待ちの無線フレーム内の指定シンボルに位置し、前記伝送待ちデータと時間分割多重方式による伝送が採用され、
前記制御シグナルが、非権限周波数帯での搬送波により搬送され、
前記動的な制御シグナルと指示された前記伝送待ちデータがいずれも、同一の不完全なサブフレーム内に位置する
ことを特徴とする非権限周波数帯でのデータ伝送方法。
【請求項２】
前記指定シンボルは、前記ネットワーク機器と前記端末により予め約束されることを特徴とする請求項１に記載の非権限周波数帯でのデータ伝送方法。
【請求項３】
端末が非権限周波数帯での無線フレームの、前記無線フレーム内の伝送待ちデータの開始位置である位置指示情報を受信することと、
前記端末が、前記位置指示情報に基づいて、無線フレーム内において前記非権限周波数帯での無線フレーム内の伝送待ちデータの開始位置を確定することと
を含み、
前記位置指示情報が動的な制御シグナルにより送信され、前記動的な制御シグナルが伝送待ちの無線フレーム内の指定シンボルに位置し、前記伝送待ちデータと時間分割多重方式による伝送が採用され、
前記制御シグナルが、非権限周波数帯での搬送波により搬送され、
前記動的な制御シグナルと指示された前記伝送待ちデータがいずれも、同一の不完全なサブフレーム内に位置する
ことを特徴とする非権限周波数帯でのデータ受信方法。
【請求項４】
前記指定シンボルは、ネットワーク機器と前記端末により予め約束されることを特徴とする請求項３に記載の非権限周波数帯でのデータ受信方法。
【請求項５】
ネットワーク機器が非権限周波数帯での無線フレーム内の伝送待ちデータの開始位置を確定することと、
ネットワーク機器が前記開始位置に基づいて位置指示情報を確定することと、
ネットワーク機器が無線フレーム自体内において前記非権限周波数帯での無線フレーム内の伝送待ちデータの開始位置を端末が前記位置指示情報に基づいて確定するよう、前記位置指示情報を端末に送信することと
を含み、
前記位置指示情報が、無線フレーム内の指定シンボルに位置するシグナルにより送信され、
前記指定シンボルは、不完全なサブフレーム内の最後のシンボルに位置することを特徴とする非権限周波数帯でのデータ伝送方法。
【請求項６】
前記指定シンボルは、前記ネットワーク機器と前記端末により予め約束されることを特徴とする請求項５に記載の非権限周波数帯でのデータ伝送方法。
【請求項７】
端末が非権限周波数帯での無線フレームの、前記無線フレーム内の伝送待ちデータの開始位置である位置指示情報を受信することと、
前記端末が、前記位置指示情報に基づいて、無線フレーム自体内において前記非権限周波数帯での無線フレーム内の伝送待ちデータの開始位置を確定することと
を含み、
前記位置指示情報が、無線フレーム内の指定シンボルに位置するシグナルにより送信され、
前記指定シンボルは、不完全なサブフレーム内の最後のシンボルに位置することを特徴とする非権限周波数帯でのデータ受信方法。
【請求項８】
前記指定シンボルは、ネットワーク機器と前記端末により予め約束されることを特徴とする請求項７に記載の非権限周波数帯でのデータ受信方法。
【請求項９】
前記端末が非権限周波数帯での無線フレームの位置指示情報を受信することは、
前記端末が、前記指定シンボルの帯域幅の一部により前記シグナルを確定すること、
又は、
前記端末が、非権限周波数帯での搬送波により前記シグナルを取得することを含むことを特徴とする請求項７に記載の非権限周波数帯でのデータ受信方法。
【請求項１０】
前記無線フレーム内のＰＤＳＣＨとｅＰＤＣＣＨでは、周波数分割多重方式による伝送が採用され、
前記ＰＤＳＣＨと前記ｅＰＤＣＣＨは、時間領域での起点が同一であり、終点が同一であり、
前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置することを特徴とする請求項７に記載の非権限周波数帯でのデータ受信方法。
【請求項１１】
前記無線フレーム内のＰＤＳＣＨと、少なくともＰＤＣＣＨとＰＣＦＩＣＨを含む制御チャネルでは、時間分割多重方式による伝送が採用され、
前記制御チャネルは、前記ＰＤＳＣＨの後方に位置することを特徴とする請求項７に記載の非権限周波数帯でのデータ受信方法。
【請求項１２】
前記無線フレーム内の伝送待ちデータの開始位置は、ＰＤＳＣＨの開始シンボルであることを特徴とする請求項７〜１１のいずれか一項に記載の非権限周波数帯でのデータ受信方法。
【請求項１３】
非権限周波数帯での無線フレーム内の伝送待ちデータの開始位置を確定するための開始位置確定ユニットと、
前記開始位置に基づいて位置指示情報を確定するための位置指示情報確定ユニットと、
無線フレーム自体内において、前記非権限周波数帯での無線フレーム内の伝送待ちデータの開始位置を端末が前記位置指示情報に基づいて確定するよう、前記位置指示情報を端末に送信するための送信ユニットと
を含み、
前記位置指示情報が、無線フレーム内の指定シンボルに位置するシグナルにより送信され、
前記指定シンボルは、不完全なサブフレーム内の最後のシンボルに位置することを特徴とするネットワーク機器。
【請求項１４】
前記指定シンボルは、前記ネットワーク機器と前記端末により予め約束されることを特徴とする請求項１３に記載のネットワーク機器。
【請求項１５】
前記シグナルは、前記指定シンボルの帯域幅の一部を占めること、
又は、
前記シグナルは、非権限周波数帯での搬送波により伝搬されることを特徴とする請求項１３に記載のネットワーク機器。
【請求項１６】
前記無線フレーム内のＰＤＳＣＨとｅＰＤＣＣＨでは、周波数分割多重方式による伝送が採用され、
前記ＰＤＳＣＨと前記ｅＰＤＣＣＨは、時間領域での起点が同一であり、終点が同一であり、
前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置することを特徴とする請求項１３に記載のネットワーク機器。
【請求項１７】
前記無線フレーム内のＰＤＳＣＨと、少なくともＰＤＣＣＨとＰＣＦＩＣＨを含む制御チャネルでは、時間分割多重方式による伝送が採用され、
前記制御チャネルは、前記ＰＤＳＣＨの後方に位置することを特徴とする請求項１３に記載のネットワーク機器。
【発明の詳細な説明】
【技術分野】
【０００１】
本願は、２０１４年９月２６日に中国特許庁に提出された中国特許出願２０１４１０５０５０３５．０の優先権を主張し、その全ての内容が援用により本願に取り込まれる。
【０００２】
本発明は、移動通信の技術分野に関し、特に非権限周波数帯でのデータ伝送方法、データ受信方法及び装置に関する。
【背景技術】
【０００３】
移動データサービス量のますますの増加に伴い、周波数帯資源がますます不足し、権限（Ａｕｔｈｏｒｉｚｅｄ）周波数帯資源によるネットワーク配置とサービス伝送のみでは、移動データサービス量の要求を満たすことができなくなる。そこで、周波数帯資源の利用率向上とユーザエクスペリエンス改善のために、移動データサービスを非権限（Ｕｎａｕｔｈｏｒｉｚｅｄ）周波数帯資源で配置して伝送することが考えられる。非権限周波数帯は、セカンダリ搬送波として、権限周波数帯のプライマリ搬送波による補助で移動データサービスの伝送を実現する。
【０００４】
非権限周波数帯は、ブルートゥース（登録商標）やＷｉ−Ｆｉ（登録商標）など多種類の無線通信システムに共有されるが、多種類の無線通信システム間で、共有する非権限周波数帯資源を資源競争方式で使用する。そのため、異なる通信事業者が配置するＬＴＥ−Ｕ（Ｕｎｌｉｃｅｎｓｅｄ  Ｌｏｎｇ  Ｔｅｒｍ  Ｅｖｏｌｕｔｉｏｎ、Ｕ−ＬＴＥ又はＬＴＥ−Ｕと略称される）間及びＬＴＥ−ＵとＷｉ−Ｆｉなどの無線通信システムとの共存性は、研究の重要点と問題点になる。
【０００５】
ＬＴＥシステムでは、ＦＤＤ（Ｆｒｅｑｕｅｎｃｙ  Ｄｉｖｉｓｉｏｎ  Ｄｕｐｌｅｘｉｎｇ）とＴＤＤ（Ｔｉｍｅ  Ｄｉｖｉｓｉｏｎ  Ｄｕｐｌｅｘｉｎｇ）の２種類の二重化方式をサポートするが、当該２種類の複信方式では異なるフレーム構造が使用される。２種類のフレーム構造の共通点は、各無線フレームがいずれも１０個の１ｍｓのサブフレームからなることである。図１に示すように、ＦＤＤシステムでは第１種類のフレーム構造が使用されるが、図２に示すように、ＴＤＤシステムでは第２種類のフレーム構造が使用される。
【０００６】
ＬＴＥのフレーム構造からみて、その伝送データがいずれも１ｍｓのサブフレームを単位とすることが分かる。しかし、ＬＴＥ−Ｕの場合、ＬＢＴ（Ｌｉｓｔｅｎ  Ｂｅｆｏｒｅ  Ｔａｌｋ）競争アクセス、基地局データ準備時間及び基地局ラジオ周波数準備時間などの要素の影響を受け、ＬＴＥ−Ｕにおける信号伝送の時間上の起点は、あるサブフレームの任意の位置である可能性がある。よって、不完全なサブフレーム、即ち時間的に１つの正常なサブフレームの長さより短い物理資源を送信してしまうことになる。不完全なサブフレームで信号の送信をしなければ、資源競争が激しい場合に、当該資源は、他のノードに奪われてしまいかねない。
【０００７】
ＬＴＥ−Ｕ設計には、ＬＴＥ−ＵとＷｉ−Ｆｉによる競争の公正性を保証することが要求されるため、ＬＴＥ−Ｕの一回伝送時間は、１０ｍｓであることが好適であり、且つ４０以下であることが好ましい。ＬＴＥ−Ｕの一回伝送時間が１０ｍｓ程度であり、しかも不完全なサブフレームでのデータ伝送がなければ、ＬＴＥ−Ｕの伝送効率が大幅に低下する。よって、完全なサブフレームの送信ができない資源で不完全なサブフレームを送信し、不完全なサブフレームでデータを送信することにより、データ伝送効率を向上でき、資源の無駄遣いを回避する。しかし、ＬＴＥの非権限周波数帯で、どのように不完全なサブフレームでデータ伝送をするかという点について、まだ完全な解決手段がない。
【０００８】
以上の記載をまとめると、従来技術において、非権限周波数帯でどのように不完全なサブフレームによりデータを伝送するかという点について、まだ解決手段がない。
【発明の概要】
【発明が解決しようとする課題】
【０００９】
本発明の実施例は、非権限周波数帯でのデータ伝送方法及び装置を提供して、非権限周波数帯でどのように不完全なサブフレームによりデータを伝送するという問題を解決しようとする。
【課題を解決するための手段】
【００１０】
本発明の実施例の不完全なサブフレームによるデータ伝送方法において、非権限周波数帯での無線フレーム内の伝送待ちデータの開始位置を確定することと、前記開始位置に基づいて位置指示情報を確定することと、前記非権限周波数帯での無線フレーム内の伝送待ちデータの開始位置を端末が前記位置指示情報に基づいて確定するよう、前記位置指示情報を送信することとを含む。
【００１１】
また、前記位置指示情報は、ネットワーク機器と端末により約束される系列である。
【００１２】
また、周波数領域で帯域幅の全て又は指定の一部を占める前記系列が位置するシンボルは、時間領域で前記無線フレーム内の前記伝送待ちデータの前に位置し、且つ前記伝送待ちデータが位置するシンボルとの間にＮ（Ｎは負ではない整数である）個のシンボルが介在し、又は、帯域幅の指定の一部を占める前記系列が位置するシンボルは、前記伝送待ちデータを伝送する開始シンボルとは重なる。
【００１３】
また、前記位置指示情報は、前記無線フレーム内の指定シンボルに位置するシグナルにより送信され、前記指定シンボルは、ネットワーク機器と前記端末により予め約束される。
【００１４】
また、前記シグナルは、前記指定シンボルの帯域幅の一部を占める。
【００１５】
また、前記シグナルは、非権限周波数帯でのセカンダリ搬送波により伝搬されるか、権限周波数帯でのプライマリ搬送波により伝搬される。
【００１６】
また、前記無線フレーム内のＰＤＳＣＨとｅＰＤＣＣＨでは、周波数分割多重方式による伝送が採用され、前記ＰＤＳＣＨと前記ｅＰＤＣＣＨは、時間領域での起点が同一であり、終点が同一であり、前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置する。
【００１７】
また、前記無線フレーム内のＰＤＳＣＨと、少なくともＰＤＣＣＨとＰＣＦＩＣＨを含む制御チャネルでは、時間分割多重方式による伝送が採用され、前記制御チャネルは、前記ＰＤＳＣＨの後方に位置する。
【００１８】
また、前記無線フレーム内の伝送待ちデータの開始位置は、ＰＤＳＣＨの開始シンボルである。
【００１９】
本発明の実施例の非権限周波数帯でのデータ伝送方法において、端末が非権限周波数帯での無線フレームの位置指示情報を受信することと、前記端末が、前記位置指示情報に基づいて、前記非権限周波数帯での無線フレーム内の伝送データの開始位置を確定することとを含む。
【００２０】
また、前記位置指示情報は、ネットワーク機器と前記端末により約束される系列である。
【００２１】
また、前記端末が、前記位置指示情報に基づいて、前記非権限周波数帯での無線フレーム内の伝送データの開始位置を確定することは、前記端末が、周波数領域で帯域幅の全て又は指定の一部を占める前記系列を、前記無線フレーム内の前記伝送待ちデータの前に位置し、且つ前記伝送データが位置するシンボルとの間にＮ（Ｎは負ではない整数である）個のシンボルが介在するシンボルで確定し、又は、前記端末が、帯域幅の指定の一部を占める前記系列を、前記伝送データを伝送する開始シンボルで確定することを含む。
【００２２】
また、前記位置指示情報は、前記無線フレーム内の指定シンボルに位置するシグナルにより送信され、前記指定シンボルは、ネットワーク機器と前記端末により予め約束される。
【００２３】
また、前記端末が非権限周波数帯での無線フレームの位置指示情報を受信することは、前記端末が、前記指定シンボルの帯域幅の一部により前記シグナルを確定することを含む。
【００２４】
また、前記端末が非権限周波数帯での無線フレームの位置指示情報を受信することは、前記端末が、非権限周波数帯でのセカンダリ搬送波又は権限周波数帯のプライマリ搬送波により前記シグナルを取得することを含む。
【００２５】
また、前記無線フレーム内のＰＤＳＣＨとｅＰＤＣＣＨでは、周波数分割多重方式による伝送が採用され、前記ＰＤＳＣＨと前記ｅＰＤＣＣＨは、時間領域での起点が同一であり、終点が同一であり、前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置する。
【００２６】
また、前記無線フレーム内のＰＤＳＣＨと、少なくともＰＤＣＣＨとＰＣＦＩＣＨを含む制御チャネルでは、時間分割多重方式による伝送が採用され、前記制御チャネルは、前記ＰＤＳＣＨの後方に位置する。
【００２７】
また、前記無線フレーム内の伝送待ちデータの開始位置は、ＰＤＳＣＨの開始シンボルである。
【００２８】
本発明の実施例のネットワーク機器は、非権限周波数帯での無線フレーム内の伝送待ちデータの開始位置を確定するための開始位置確定ユニットと、前記開始位置に基づいて位置指示情報を確定するための位置指示情報確定ユニットと、前記非権限周波数帯での無線フレーム内の伝送待ちデータの開始位置を端末が前記位置指示情報に基づいて確定するよう、前記位置指示情報を送信するための送信ユニットとを含む。
【００２９】
また、前記位置指示情報は、前記ネットワーク機器と前記端末により約束される系列である。
【００３０】
また、周波数領域で帯域幅の全て又は指定の一部を占める前記系列が位置するシンボルは、時間領域で前記無線フレーム内の前記伝送待ちデータの前に位置し、且つ前記伝送待ちデータが位置するシンボルとの間にＮ（Ｎは負ではない整数である）個のシンボルが介在し、又は、帯域幅の指定の一部を占める前記系列が位置するシンボルは、前記伝送待ちデータを伝送する開始シンボルとは重なる。
【００３１】
また、前記位置指示情報は、前記無線フレーム内の指定シンボルに位置するシグナルにより送信され、前記指定シンボルは、ネットワーク機器と前記端末により予め約束される。
【００３２】
また、前記シグナルは、前記指定シンボルの帯域幅の一部を占める。
【００３３】
また、前記シグナルは、非権限周波数帯でのセカンダリ搬送波により伝搬されるか、権限周波数帯でのプライマリ搬送波により伝搬される。
【００３４】
また、前記無線フレーム内のＰＤＳＣＨとｅＰＤＣＣＨでは、周波数分割多重方式による伝送が採用され、前記ＰＤＳＣＨと前記ｅＰＤＣＣＨは、時間領域での起点が同一であり、終点が同一であり、前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置する。
【００３５】
また、前記無線フレーム内のＰＤＳＣＨと、少なくともＰＤＣＣＨとＰＣＦＩＣＨを含む制御チャネルでは、時間分割多重方式による伝送が採用され、前記制御チャネルは、前記ＰＤＳＣＨの後方に位置する。
【００３６】
また、前記無線フレーム内の伝送待ちデータの開始位置は、ＰＤＳＣＨの開始シンボルである。
【００３７】
本発明の実施例の端末は、非権限周波数帯での無線フレームの位置指示情報を受信するための受信ユニットと、前記位置指示情報に基づいて、前記非権限周波数帯での無線フレーム内の伝送データの開始位置を確定するための確定ユニットとを含む。
【００３８】
また、前記位置指示情報は、ネットワーク機器と前記端末により約束される系列である。
【００３９】
また、前記確定ユニットは、前記端末が、周波数領域で帯域幅の全て又は指定の一部を占める前記系列を、前記無線フレーム内の前記伝送待ちデータの前に位置し、且つ前記伝送データが位置するシンボルとの間にＮ（Ｎは負ではない整数である）個のシンボルが介在するシンボルで確定し、又は、前記端末が、帯域幅の指定の一部を占める前記系列を、前記伝送データを伝送する開始シンボルで確定することに用いられる。
【００４０】
また、前記位置指示情報は、前記無線フレーム内の指定シンボルに位置するシグナルにより送信され、前記指定シンボルは、ネットワーク機器と前記端末により予め約束される。
【００４１】
また、前記受信ユニットは、前記端末が、前記指定シンボルの帯域幅の一部により前記シグナルを確定することに用いられる。
【００４２】
また、前記受信ユニットは、前記端末が、非権限周波数帯でのセカンダリ搬送波又は権限周波数帯でのプライマリ搬送波により前記シグナルを取得することに用いられる。
【００４３】
また、前記無線フレーム内のＰＤＳＣＨとｅＰＤＣＣＨでは、周波数分割多重方式による伝送が採用され、前記ＰＤＳＣＨと前記ｅＰＤＣＣＨは、時間領域での起点が同一であり、終点が同一であり、前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置する。
【００４４】
また、前記無線フレーム内のＰＤＳＣＨと、少なくともＰＤＣＣＨとＰＣＦＩＣＨを含む制御チャネルでは、時間分割多重方式による伝送が採用され、前記制御チャネルは、前記ＰＤＳＣＨの後方に位置する。
【００４５】
また、前記無線フレーム内の伝送待ちデータの開始位置は、ＰＤＳＣＨの開始シンボルである。
【発明の効果】
【００４６】
本発明の実施例の方法において、非権限周波数帯での無線フレーム内の伝送データの開始位置を位置指示情報により端末に指示することにより、端末が当該位置指示情報に基づいて無線フレーム内の伝送データの開始位置を確定することができ、データを正しく受信する。
【図面の簡単な説明】
【００４７】
本発明の実施例や従来技術の技術手段をより明確に説明するために、以下、実施例の記載に必要とされる図面を簡単に紹介する。明らかに、以下の記載に関する図面は、単に本発明の一部の実施例である。当業者にとって、創造性のある作業を必要としないことを前提に、これらの図面から他の図面を得ることもできる。これらの図面は、以下の通り説明される。
【００４８】
【図１】従来技術で第１種類のフレーム構造を使用するＦＤＤシステムの模式図である。
【図２】従来技術で第２種類のフレーム構造を使用するＴＤＤシステムの模式図である。
【図３】本発明の実施例の非権限周波数帯でのデータ伝送方法のフローチャートである。
【図４】本発明の実施例の別種類の非権限周波数帯でのデータ伝送方法のフローチャートである。
【図５】本発明の実施例の第１種類の非権限周波数帯での不完全なサブフレーム構造の模式図である。
【図６】本発明の実施例の第２種類の非権限周波数帯での不完全なサブフレーム構造の模式図である。
【図７】本発明の実施例の第３種類の非権限周波数帯での不完全なサブフレーム構造の模式図である。
【図８】本発明の実施例の第４種類の非権限周波数帯での不完全なサブフレーム構造の模式図である。
【図９】本発明の実施例のネットワーク機器の構造図である。
【図１０】本発明の実施例の端末の構造図である。
【発明を実施するための最良の形態】
【００４９】
本発明の実施例の目的、技術手段及び利点をより明確にするために、以下、本発明の実施例の図面を参照しながら、本発明の実施例の技術手段を明確且つ十分に記載する。明らかに、記載する実施例は、本発明の実施例の一部であり、全てではない。以下の実施例は、本発明の説明に用いられるもので、本発明の範囲を限定するためのものではない。記載する本発明の実施例に基づき、当業者が為しえる全ての実施例は、いずれも本発明によって保護される範囲に属するものである。
【００５０】
別途に定義することを除き、ここで使用される技術用語や科学用語は、本発明の所属する分野の一般的な技能を持つ者が理解する通常の意味である。本願発明の明細書及び特許請求の範囲に使用される「第１」、「第２」及び類似用語は、単に異なる構成部分を区別するためのものであり、順番、数量又は重要度を一切表さない。同様に、「１つ」又は「一」などの類似用語は、少なくとも１つが存在することを表し、数の限定ではない。
【００５１】
ＬＴＥシステムにおいて、非権限周波数帯で不完全なサブフレームにより伝送待ちデータを伝送するとき、端末は、受信した不完全なサブフレーム内の伝送待ちデータの開始位置を確定することができない。ネットワーク機器は、資源競争時に、ＬＢＴ競争アクセス、ネットワーク機器データ準備時間及びネットワーク機器ラジオ周波数準備時間などの要素から影響を受け、１つの完全なサブフレームの伝送ができないことがよくあり、不完全なサブフレームによるデータ伝送しかできない。不完全なサブフレームは、長さが１つのＬＴＥサブフレームの長さより短く、最多で１３個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの利用が可能である。伝送データの開始位置が不確定であるか可変であり、末尾位置が既知であるか一定であるため、端末は、不完全なサブフレーム内のデータ伝送開始位置を確定することができなければ、伝送データの取得ができない。
【００５２】
端末が受信した無線フレーム内の伝送待ちデータの開始位置を確定することができないという問題を解決するために、本発明の実施例において、ネットワーク機器は、無線フレームを送信するとき、位置指示情報を送信して無線フレームの伝送待ちデータの開始位置を端末に指示することにより、端末が不完全なサブフレーム内の伝送データの開始位置を確定することができ、不完全なサブフレームにおけるデータを正しく受信する。
【００５３】
本発明の実施例において、ネットワーク側と端末側に基づく非権限周波数帯でのデータ伝送方法をそれぞれ提供する。ここで、ネットワーク側の伝送方法と端末側の伝送方法は、それぞれ独立に使用してもよく、組み合わせて使用してもよい。以下、ネットワーク側と端末側の伝送方法をそれぞれ記載する。
【００５４】
本発明の実施例に記載する方法が多種類の移動通信システムに適用するが、本発明の実施例は、単にＬＴＥシステムを例として記載し、他の移動通信システムを例示しない。本発明の実施例の「シンボル」という用語は、ＬＴＥシステムを例として記載する場合、ＯＦＤＭシンボルを指す。
【００５５】
以下、図面を参照して本発明の実施例を詳細に説明する。
【００５６】
図３は、本発明の実施例の非権限周波数帯でのデータ伝送方法のフローチャートである。当該フローは、ネットワーク機器により実行される。前記ネットワーク機器は、例えば基地局など、ネットワークアクセス機能を有する機器である。ただし、本発明の実施例のネットワーク機器は、基地局に限定されない。
【００５７】
図３に示すように、当該フローは、非権限周波数帯での無線フレーム内の伝送待ちデータの開始位置を確定するステップ３０１と、前記開始位置に基づいて位置指示情報を確定するステップ３０２と、前記非権限周波数帯での無線フレーム内の伝送待ちデータの開始位置を端末が前記位置指示情報に基づいて確定するよう、前記位置指示情報を送信するステップ３０３とを含む。
【００５８】
ＬＴＥシステムにおいて、伝送待ちデータは、ＰＤＳＣＨ（Ｐｈｙｓｉｃａｌ  Ｄｏｗｎｌｉｎｋ  Ｓｈａｒｅｄ  Ｃｈａｎｎｅｌ）にマッピングされて伝送される。従って、上記伝送待ちデータの開始位置は、ＰＤＳＣＨを伝送するための開始ＯＦＤＭシンボルである。ＰＤＳＣＨとｅＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）の周波数分割多重が可能であるため、この場合、ＰＤＳＣＨとｅＰＤＣＣＨの時間領域での起点が同じである。従って、上記伝送待ちデータの開始位置は、ｅＰＤＣＣＨの開始ＯＦＤＭシンボルであってもよい。
【００５９】
前記位置指示情報により指示される伝送待ちデータの開始位置とは、伝送待ちデータの無線フレームにおける開始シンボルの系列番号であり、又は、前記開始シンボルの前記無線フレーム内の相対位置である。ここで、前記相対位置とは、伝送待ちデータの開始シンボルの、当該伝送待ちデータが位置する無線フレーム又はサブフレームの起点から起算したシンボル数であり、又は、当該無線フレーム又はサブフレームの終点から起算したシンボル数であり、又は、他の実質上の等価情報である。
【００６０】
上記フローのステップ３０２において、確定した前記位置指示情報は、ネットワーク機器と端末により約束される系列である。または、前記位置指示情報は、シグナルにより送信される。
【００６１】
前記位置指示情報が系列であると、当該系列は、ネットワーク機器と端末により予め約束される必要がある。即ち、前記系列は、ネットワーク機器と端末の両方にとって既知の系列である。前記系列は、端末のローカルに格納されてもよく、端末で生成されてもよい。前記系列は、生成方法として、ＰＮ（Ｐｓｅｕｄｏ−Ｎｏｉｓｅ）系列又はＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）系列をベーシック系列として構成される。前記系列は、他の生成方法もありうるが、ここでは例示しない。
【００６２】
ステップ３０３において、ネットワーク機器が前記系列を送信する場合、前記系列は、周波数領域で帯域幅の全て又は指定の一部を占める。
【００６３】
前記系列は、周波数領域で帯域幅の全て又は指定の一部を占める場合、前記系列が位置するシンボルは、時間領域で伝送待ちデータの前に位置し、且つ前記伝送待ちデータが位置するシンボルとの間にＮ（Ｎは負ではない整数である）個のシンボルが介在する。Ｎの値は、ネットワーク機器と端末で予め約束される。例えば、ネットワーク機器は、ＰＤＳＣＨを伝送するための開始ＯＦＤＭシンボルの直前ＯＦＤＭシンボルで前記系列を送信する。
【００６４】
前記系列は、帯域幅の指定の一部を占める場合、前記系列が位置するシンボルは、前記伝送待ちデータの開始シンボルと重なってもよい。例えば、ネットワーク機器は、ＰＤＳＣＨを伝送するための開始ＯＦＤＭシンボルで前記系列を送信し、且つＰＤＳＣＨと当該系列が異なる帯域幅を占用する。この場合、当該系列が占用する周波数帯は、中心周波数ポイント又はその付近に位置することが好ましい。
【００６５】
また、前記位置指示情報がシグナルにより送信される場合、前記シグナルは、無線フレーム内の指定シンボルに位置する。前記指定シンボルは、ネットワーク機器と端末により予め約束される。このとき、前記位置指示情報は、送信位置が一定であり、端末によるブラインド検出を必要としない。また、前記指定シンボルは、不完全なサブフレーム内の最後のシンボルに位置する。
【００６６】
当該シグナルは、非権限周波数帯のセカンダリ搬送波により伝搬されてもよく、権限周波数帯のプライマリ搬送波により伝搬されてもよい。
【００６７】
前記シグナルは、周波数領域で帯域幅の全て又は指定の一部を占める。また、通常、前記位置指示方法情報は、通常長さが４ｂｉｔであり、ＰＤＳＣＨの開始ＯＦＤＭシンボルの系列番号を指示し、又は、ＰＤＳＣＨの開始ＯＦＤＭシンボルの系列番号の不完全なサブフレームにおける相対位置を指示する。前記シグナルは、帯域幅の指定の一部を占める場合、他の情報（例えば制御チャネル又は伝送待ちデータ）とは周波数分割多重方式で同一のシンボルを占用する。例えば、前記シグナルは、制御チャネルのうちのＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）とは周波数分割多重方式で同一のシンボルを占用する。また、例えば、前記シグナルは、ＰＤＳＣＨの終了ＯＦＤＭシンボルで送信され、且つＰＤＳＣＨとは周波数分割多重方式で伝送される。
【００６８】
ＬＴＥシステムにおいて、サブフレームでデータを伝送する場合、Ｌ１／Ｌ２制御チャネルが完全なサブフレームの前からＰ（４以下）個のＯＦＤＭシンボルに位置するため、非権限周波数帯の不完全なサブフレームにおいて、Ｌ１／Ｌ２制御チャネルでの完全な伝送ができない可能性がある。端末は、Ｌ１／Ｌ２制御チャネルの一部を取得するか、又は取得できないため、無線フレームで伝送されるデータを正しく復号することができない。本発明の実施例は、Ｒ８／Ｒ９の伝統的なＬ１／Ｌ２制御チャネルエリアでの制御チャネル伝送の代わりに、１）ｅＰＤＣＣＨとＰＤＳＣＨの周波数分割多重方式か、若しくは、２）制御チャネル（少なくともＰＤＣＣＨ（Ｐｈｙｓｉｃａｌ  Ｄｏｗｎｌｉｎｋ  Ｃｏｎｔｒｏｌ  Ｃｈａｎｎｅｌ）とＰＣＦＩＣＨを含むが、他の制御チャネルも含んでもよい）とＰＤＳＣＨの時間分割多重方式のうちのいずれか一つを採用する。
【００６９】
ｅＰＤＣＣＨとＰＤＳＣＨの周波数分割多重方式を採用する場合、ｅＰＤＣＣＨとＰＤＳＣＨは、時間領域での起点が同じであり、終点も同じである。ＰＤＳＣＨとｅＰＤＣＣＨの起点は、不完全なサブフレームに対応する完全なサブフレームのＬ１／Ｌ２制御チャネルエリア内又はＬ１／Ｌ２制御チャネルエリア外の任意の位置に位置する。不完全なサブフレームに対応する完全なサブフレームのＬ１／Ｌ２制御チャネルエリアは、部分的に存在する場合、データ又は位置指示情報の伝送に用いられる。ｅＰＤＣＣＨとＰＤＳＣＨの起点位置は、位置指示情報による指示が必要である。
【００７０】
一方、制御チャネルとＰＤＳＣＨの時間分割多重方式を採用する場合、制御チャネルは、ＰＤＳＣＨの後方のシンボルに位置し、ＰＤＣＣＨとＰＣＦＩＣＨ及び他の制御情報を伝搬する。また、制御チャネルが伝搬するＰＣＦＩＣＨは、不完全なサブフレームの末尾シンボルに位置してもよい。前記位置指示情報が１つのシグナルで送信される場合、当該シグナルは、ＰＣＦＩＣＨと周波数分割多重方式で１つのシンボルを占用する。
【００７１】
本発明の実施例の方法において、非権限周波数帯での無線フレーム内の伝送データの開始位置を前記位置指示情報により端末に指示することにより、端末が前記位置指示情報に基づいて無線フレーム内の伝送データの開始位置を確定することができ、データを正しく受信する。
【００７２】
図４は、本発明の実施例の別種類の非権限周波数帯でのデータ伝送方法のフローチャートである。当該フローは、端末により実行される。前記端末は、例えば携帯電話など、無線通信機能を有する任意の端末であってもよい。
【００７３】
ＬＴＥシステムにおいて、サブフレームに通常のサイクリックプレフィックスが用いられると、端末は、サブフレームの受信後に、サブフレームの末尾から前へ１４個のＯＦＤＭシンボルを数え、理想的なＬＴＥ完全なサブフレームのヘッダを得る。端末は、まずＬ１／Ｌ２制御チャネルエリアの復調をし、復調に失敗すると、受信したサブフレームを不完全なサブフレームとみなし、不完全なサブフレームモードに移行する。
【００７４】
当該フローは、非権限周波数帯での無線フレームの位置指示情報を受信するステップ４０１と、前記位置指示情報に基づいて、前記非権限周波数帯での無線フレーム内の伝送待ちデータの開始位置を確定するステップ４０２とを含む。
【００７５】
ここで、前記位置指示情報の意味及び送信方式が図３の対応する内容と同一であり、ここでは繰り返して記載しない。
【００７６】
前記位置指示情報がネットワーク機器と端末により約束された系列である場合、ステップ４０１において、端末は、無線フレームで前記系列を検出すると、ステップ４０２において、端末は、予め約束されたＮの値及び前記系列が位置するシンボル位置に基づいて、受信した無線フレーム内の伝送データの開始位置を確定することができ、更にデータの復調をすることができる。
【００７７】
前記位置指示情報がシグナルにより送信される場合、ステップ４０１において、端末は、前記シグナル及び前記シグナルに対応するサブフレームを、非権限周波数帯でのセカンダリ搬送波又は権限周波数帯でのプライマリ搬送波により取得することにより、当該サブフレーム内の伝送データの開始位置を取得することができる。
【００７８】
例えば、ＬＴＥシステムにおいて、前記位置指示情報を指示するためのシグナルは、不完全なサブフレームの末尾ＯＦＤＭシンボル上の周波数帯中間領域のＫ（Ｋは負ではない整数である）個のＲＢ（Ｒｅｓｏｕｒｃｅ  Ｂｌｏｃｋ）での伝送が予め約束される。端末は、発見信号などの手段を介して時間と周波数の同期を実現すると、不完全なサブフレームの末尾の境界を確定することができ、更に当該不完全なサブフレームの最終ＯＦＤＭシンボル上の周波数帯中間領域のＫ個のＲＢでシグナルを検出することにより、当該シグナルに基づいて当該不完全なサブフレームでの伝送データの開始位置を得ることができる。
【００７９】
前述のように、ネットワーク機器は、ｅＰＤＣＣＨとＰＤＳＣＨの周波数分割多重方式を採用してもよく、制御チャネルとＰＤＳＣＨの時間分割多重方式を採用してもよい。前記制御チャネルは、少なくともＰＤＣＣＨとＰＣＦＩＣＨを含むが、他の制御チャネルも含んでもよい
【００８０】
制御チャネルとＰＤＳＣＨの時間分割多重方式を採用する場合、例えば、ＰＣＦＩＣＨを不完全なサブフレームの末尾ＯＦＤＭシンボルで送信すると、当該不完全なサブフレームの末尾が既知であるため、端末は、当該不完全なサブフレームを受信してから、ＬＴＥシステムの従来方法に従い、ＰＣＦＩＣＨに基づいて制御チャネルの範囲を取得し、位置指示情報に合わせてＰＤＳＣＨの復調を実現することができる。
【００８１】
本発明の実施例の方法において、端末は、無線フレームを非権限周波数帯で受信すると、無線フレーム内の伝送データの開始位置を、ネットワーク機器から送信された位置指示情報に基づいて確定することにより、当該位置指示情報に基づいて無線フレーム内の伝送データの開始位置を確定することができ、データを正しく受信する。
【００８２】
上述のように、前記位置指示情報は、２種類の実現方式があり、しかも制御チャネルとＰＤＳＣＨには２種類の多重方式がある。以下、ＬＴＥシステムを例として、図５〜図８を参照して、各組み合わせた手段における不完全なサブフレーム構造の模式図を記載する。
【００８３】
図５に示すように、伝送待ちデータは、ＰＤＳＣＨにマッピングされて送信され、ｅＰＤＣＣＨとＰＤＳＣＨは周波数分割多重をする。ＰＤＳＣＨとｅＰＤＣＣＨは、時間領域での起点が同じであり、当該不完全なサブフレームに対応する完全なサブフレームのＬ１／Ｌ２制御チャネルエリア内に位置する。位置指示情報は、ネットワーク機器と端末により約束された系列である。当該系列が位置するＯＦＤＭシンボルは、ＰＤＳＣＨの開始ＯＦＤＭシンボルの前に位置し、しかもそれに隣接する。当該系列は、帯域幅の全体を占める。
【００８４】
端末は、非権限周波数帯で不完全なサブフレームを受信する過程において、前記不完全なサブフレームから前記系列を復調して得ると、当該系列が位置するＯＦＤＭシンボル直後のＯＦＤＭシンボルがＰＤＳＣＨの開始シンボルであると確定することができる。このように、端末は、確定したＰＤＳＣＨの開始シンボルに基づいてＰＤＳＣＨの受信と復調ができる。
【００８５】
図６に示すように、伝送待ちデータは、ＰＤＳＣＨにマッピングされて送信され、制御チャネルとＰＤＳＣＨは多重の時間分割をする。ＰＤＳＣＨの時間領域での起点は、前記不完全なサブフレームに対応する完全なサブフレームのＬ１／Ｌ２制御チャネルエリア外に位置する。前記位置指示情報は、シグナルにより送信される。前記シグナルは、帯域幅の一部を占め、制御チャネル内のＰＣＦＩＣＨとは周波数分割多重方式により、前記不完全なサブフレームの末尾ＯＦＤＭシンボルを占める。前記制御チャネルは、前記ＰＤＳＣＨの後方に位置する。図６には、位置指示情報について不完全なサブフレームの末尾ＯＦＤＭシンボルを占用することができることが示されているが、周波数領域での位置が限定されていない。
【００８６】
端末は、当該シグナルを受信してから、当該シグナルによりＰＤＳＣＨの開始シンボルを確定することができる。このように、端末は、確定したＰＤＳＣＨの開始シンボルに基づいてＰＤＳＣＨの受信と復調ができる。
【００８７】
図７に示すように、伝送待ちデータは、ＰＤＳＣＨにマッピングされて送信され、制御チャネルとＰＤＳＣＨは多重の時間分割をする。ＰＤＳＣＨの時間領域での起点は、前記不完全なサブフレームに対応する完全なサブフレームのＬ１／Ｌ２制御チャネルエリア内に位置する。前記位置指示情報は、ネットワーク機器と端末により約束された系列である。当該系列は、帯域幅の一部を占め、しかも当該系列が位置するＯＦＤＭシンボルとＰＤＳＣＨの開始ＯＦＤＭシンボルとは重なる。当該系列は、帯域幅全体を占めてもよい。
【００８８】
端末は、非権限周波数帯で不完全なサブフレームを受信する過程において、前記不完全なサブフレームから前記系列を復調して得ると、当該系列が位置するＯＦＤＭシンボルがＰＤＳＣＨの開始シンボルであると確定することができる。このように、端末は、確定したＰＤＳＣＨの開始シンボルに基づいてＰＤＳＣＨの受信と復調ができる。
【００８９】
図８に示すように、伝送待ちデータは、ＰＤＳＣＨにマッピングされて送信され、ｅＰＤＣＣＨとＰＤＳＣＨは周波数分割多重をする。ＰＤＳＣＨとｅＰＤＣＣＨは、時間領域での起点が同じであり、当該不完全なサブフレームに対応する完全なサブフレームのＬ１／Ｌ２制御チャネルエリア内に位置する。位置指示情報は、シグナルにより送信される。前記シグナルは、帯域幅の一部を占め、ＰＤＳＣＨ及び／又はｅＰＤＣＣＨの終了ＯＦＤＭシンボルに位置し、ＰＤＳＣＨ及び／又はｅＰＤＣＣＨとは周波数分割多重方式で伝送される。図８には、位置指示情報と、ＰＤＳＣＨ及び／又はｅＰＤＣＣＨとは、ＰＤＳＣＨ及び／又はｅＰＤＣＣＨの終了ＯＦＤＭシンボルを共有することができることが示されているが、周波数領域での位置が限定されていない。
【００９０】
端末は、当該シグナルを受信してから、当該シグナルによりＰＤＳＣＨの開始シンボルを確定することができる。このように、端末は、確定したＰＤＳＣＨの開始シンボルに基づいてＰＤＳＣＨの受信と復調ができる。
【００９１】
上記方法のフローに対し、本発明の実施例は、ネットワーク機器と端末を提供する。当該ネットワーク機器と端末は、具体的な内容について、上述の方法が参照されるので、ここでは繰り返して記載しない。
【００９２】
図９は、本発明の実施例のネットワーク機器の構造図である。当該ネットワーク機器は、非権限周波数帯での無線フレーム内の伝送待ちデータの開始位置を確定するための開始位置確定ユニット９０１と、前記開始位置に基づいて位置指示情報を確定するための位置指示情報確定ユニット９０２と、前記非権限周波数帯での無線フレーム内の伝送待ちデータの開始位置を端末が前記位置指示情報に基づいて確定するよう、前記位置指示情報を送信するための送信ユニット９０３とを含む。
【００９３】
また、前記位置指示情報は、ネットワーク機器と前記端末により約束される系列である。
【００９４】
また、周波数領域で帯域幅の全て又は指定の一部を占める前記系列が位置するシンボルは、時間領域で前記無線フレーム内の前記伝送待ちデータの前に位置し、且つ前記伝送待ちデータが位置するシンボルとの間にＮ（Ｎは負ではない整数である）個のシンボルが介在し、又は、帯域幅の指定の一部を占める前記系列が位置するシンボルは、前記伝送待ちデータを伝送する開始シンボルとは重なる。
【００９５】
また、前記位置指示情報は、前記無線フレーム内の指定シンボルに位置するシグナルにより送信され、前記指定シンボルは、ネットワーク機器と前記端末により予め約束される。
【００９６】
また、前記シグナルは、前記指定シンボルの帯域幅の一部を占める。
【００９７】
また、前記シグナルは、非権限周波数帯でのセカンダリ搬送波により伝搬されるか、権限周波数帯でのプライマリ搬送波により伝搬される。
【００９８】
また、前記無線フレーム内のＰＤＳＣＨとｅＰＤＣＣＨでは、周波数分割多重方式による伝送が採用され、前記ＰＤＳＣＨと前記ｅＰＤＣＣＨは、時間領域での起点が同一であり、終点が同一であり、前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置する。
【００９９】
また、前記無線フレーム内のＰＤＳＣＨと、少なくともＰＤＣＣＨとＰＣＦＩＣＨを含む制御チャネルでは、時間分割多重方式による伝送が採用され、前記制御チャネルは、前記ＰＤＳＣＨの後方に位置する。
【０１００】
また、前記無線フレーム内の伝送待ちデータの開始位置は、ＰＤＳＣＨの開始シンボルである。
【０１０１】
本発明の実施例の端末は、図１０に示すように、非権限周波数帯での無線フレームの位置指示情報を受信するための受信ユニット１００１と、前記位置指示情報に基づいて、前記非権限周波数帯での無線フレーム内の伝送データの開始位置を確定するための確定ユニット１００２とを含む。
【０１０２】
また、前記位置指示情報は、ネットワーク機器と前記端末により約束される系列である。
【０１０３】
また、前記確定ユニット１００２は、前記端末が、周波数領域で帯域幅の全て又は指定の一部を占める前記系列を、前記無線フレーム内の前記伝送データの前に位置し、且つ前記伝送待ちデータが位置するシンボルとの間にＮ（Ｎは負ではない整数である）個のシンボルが介在するシンボルで確定し、又は、前記端末が、帯域幅の指定の一部を占める前記系列を、前記伝送データを伝送する開始シンボルで確定することに用いられる。
【０１０４】
また、前記位置指示情報は、前記無線フレーム内の指定シンボルに位置するシグナルにより送信され、前記指定シンボルは、ネットワーク機器と前記端末により予め約束される。
【０１０５】
また、前記受信ユニット１００１は、前記端末が、前記指定シンボルの帯域幅の一部により前記シグナルを確定することに用いられる。
【０１０６】
また、前記受信ユニット１００１は、前記端末が、非権限周波数帯でのセカンダリ搬送波又は権限周波数帯でのプライマリ搬送波により前記シグナルを取得することに用いられる。
【０１０７】
また、前記無線フレーム内のＰＤＳＣＨとｅＰＤＣＣＨでは、周波数分割多重方式による伝送が採用され、前記ＰＤＳＣＨと前記ｅＰＤＣＣＨは、時間領域での起点が同一であり、終点が同じ同一であり、前記ＰＤＳＣＨと前記ｅＰＤＣＣＨは、時間領域での起点が前記無線フレームに対応する完全なサブフレームのＬ１／Ｌ２制御エリア内又はＬ１／Ｌ２制御エリア外の任意の位置に位置する。
【０１０８】
また、前記無線フレーム内のＰＤＳＣＨと、少なくともＰＤＣＣＨとＰＣＦＩＣＨを含む制御チャネルでは、時間分割多重方式による伝送が採用され、前記制御チャネルは、前記ＰＤＳＣＨの後方に位置する。
【０１０９】
また、前記無線フレーム内の伝送待ちデータの開始位置は、ＰＤＳＣＨの開始シンボルである。
【０１１０】
無線フレーム内の伝送待ちデータの開始位置を位置指示情報により端末に指示することにより、端末は、データを正しく受信することができる。本発明の実施例の指示方法は、簡単であり、伝送効率が高く、取得済み時間周波数資源を十分に利用することができ、資源の無駄遣いを回避する。
【０１１１】
本発明の実施例は、方法、システム、又はコンピュータプログラムプロダクトとして提供され得ると当業者であれば理解できる。従って、本発明は、完全にハードウェアの実施例、完全にソフトウェアの実施例、又はソフトウェアとハードウェアを組み合わせた実施例の形態を取り得る。しかも、本発明は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０１１２】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現され得ると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フロー図の１つ又は複数のフロー及び／又はブロック図の１つ又は複数のブロックで指定される機能を実現するための装置を形成する。
【０１１３】
これらのコンピュータプログラムコマンドは、コンピュータ又は他のプログラマブルデータ処理デバイスに特定の方式で動作を導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１１４】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１１５】
明らかに、当業者は、本発明の精神や範囲を逸脱せずに、本発明に対して様々な変更や変形をすることができる。このように、本発明のこれらの修正や変形が本発明の特許請求の範囲及びその同等の技術範囲に含まれるものであれば、本発明は、これらの変更や変形を含むことを意図とする。
【図１】
0006577577.tif 000002
【図２】
0006577577.tif 000003
【図３】
0006577577.tif 000004
【図４】
0006577577.tif 000005
【図５】
0006577577.tif 000006
【図６】
0006577577.tif 000007
【図７】
0006577577.tif 000008
【図８】
0006577577.tif 000009
【図９】
0006577577.tif 000010
【図１０】
0006577577.tif 000011